(57)【要約】【課題】シャッター装置１にシート体１１を備えた防潮機能を設けるにあたり、シート体を常時は収納できるものとし、使用時に引出して使用するようにする。【解決手段】座板６内にロールカーテン式のシート体１１を設け、座板から引き出したシート体を、座板下面６ａを通ってシャッターカーテン３の屋外側に引きまわし、シート体先端の引き出し桿１４をシャッターカーテン屋外側面に設けたシート保持部２ｂに係止する一方、座板下面のシート体と床面Ｆとに水密状に当接する床面側水密部材９と、シート体および開口部のそれぞれの左右両端部に水密状に当接する左右両端側水密部材１５を備えて構成する。【選択図】図９
2015183496.tif 000002
【特許請求の範囲】
【請求項１】
建築物の開口部を上下開閉作動する開閉体に防水装置を設けるにあたり、
該防水装置は、
開閉体下端部の屋内側面に設けられるシート収納部と、
該シート収納部から引き出され、開閉体下端を経由して開閉体屋外側面にまで至るシート体と、
開閉体下端のシート体および床面に水密状に当接する床面側水密部材と、
開閉体屋外側面のシート体および開口部のそれぞれの屋外側左右両端部に水密状に当接する左右両端側水密部材とを備えて構成される建築物の開口部開閉体の防水装置。
【請求項２】
シート収納部は、開閉体下端に設けられる中空状の座板に内装されていることを特徴とする請求項１記載の建築物の開口部開閉体の防水装置。
【請求項３】
床面側水密部材は、座板下面に開閉自在に設けられていることを特徴とする請求項１または２記載の建築物の開口部開閉体の防水装置。
【請求項４】
床面側水密部材は、座板下面に対して屋内側に開閉するよう揺動自在に設けられていて、座板の屋内側下面を開放するように構成されていることを特徴とする請求項３記載の建築物の開口部開閉体の防水装置。
【請求項５】
床面側水密部材と座板下面との着脱は磁石を介して行うよう構成されていることを特徴とする請求項３または４記載の建築物の開口部開閉体の防水装置。
【請求項６】
開閉体屋外側面に至ったシート体は、上端部が屋外側に設けたシート保持部に係脱自在に保持されていることを特徴とする請求項１乃至５の何れか１記載の建築物の開口部開閉体の防水装置。
【請求項７】
シート保持部は、開閉体の屋外側面に設けられていることを特徴とする請求項６記載の建築物の開口部開閉体の防水装置。
【請求項８】
左右両端側水密部材は、操作体と、該操作体の操作に伴い屋内側斜め下方に移動してシート体および開口部のそれぞれの屋外側左右両端部に水密状に当接する水密材とを備えて構成されていることを特徴とする請求項１乃至７の何れか１記載の建築物の開口部開閉体の防水装置。
【請求項９】
左右両端側水密部材は、シート体の左右両端部を開閉体の屋外側面に押圧状に当接させることを特徴とする請求項１乃至８の何れか１記載の建築物の開口部開閉体の防水装置。
【請求項１０】
左右両端側水密部材が水密状に当接する開口部の屋外側左右両端部は、開閉体の上下開閉移動をガイドするガイドレールであることを特徴とする請求項１乃至９の何れか１記載の建築物の開口部開閉体の防水装置。
【請求項１１】
開閉体の屋内側には閉鎖姿勢の開閉体を支持する支持部材が設けられていることを特徴とする請求項１乃至１０の何れか１記載の建築物の開口部開閉体の防水装置。
【請求項１２】
支持部材は、開閉体を下方に向けて支持する下方側支持部と開閉体の屋内側方向の撓み変形を受止め支持する屋内側支持部とを備えていることを特徴とする請求項１１記載の建築物の開口部開閉体の防水装置。
【発明の詳細な説明】
【技術分野】
【０００１】
本発明は、集中豪雨等によって発生する大量の雨水が建築物の開口部から内部に浸入することを防ぐために、建築物開口部を開閉する開閉体に取り付けられる防水装置の技術分野に関するものである。
【背景技術】
【０００２】
一般に、建築物開口部からの雨水の浸入を防止するためには、止水板や止水シート等を、開口部の下端面部および左右両側面部に対して水密となるようにして設置する必要がある。このような防水（防潮）装置の技術として、止水板を設けることが提唱されるが（例えば特許文献１参照）、止水板を使用しない常時、止水板の収納場所を天井等に確保しなければならないという問題がある。
そこでシャッターカーテンの下部をシート体で覆うように構成したものが知られている（特許文献２参照）。
【先行技術文献】
【特許文献】
【０００３】
【特許文献１】特公平７−１１３３１１号公報
【特許文献２】実公平８−２３９１号公報
【発明の概要】
【発明が解決しようとする課題】
【０００４】
しかるに特許文献２のものは、シート体は常にシャッターの前面に露出した状態となっているため、陽射しや風雨等に晒されることになって経年劣化を招き易く、機能を保つためにはシート体の張替え等のメンテナンスを頻繁に行う必要がある。そのうえ、シャッターカーテンを巻き取りドラムに巻き取った場合、シート体はカーテン面に挟まれた状態となって破損しやすいだけでなく、隣接するスラット同士のインターロック結合部が揺動するため、シート体自体にこの揺動代を確保したものにする必要があるが、揺動代を設けた場合、シャッターカーテンを閉鎖したときに揺動代分シート体が撓むことになって水密性を確保することが難しいという問題があり、これらに本発明が解決せんとする課題がある。
【課題を解決するための手段】
【０００５】
本発明は、上記の課題を解決するため鋭意創作されたものであって、請求項１の発明は、建築物の開口部を上下開閉作動する開閉体に防水装置を設けるにあたり、該防水装置は、開閉体下端部の屋内側面に設けられるシート収納部と、該シート収納部から引き出され、開閉体下端を経由して開閉体屋外側面にまで至るシート体と、開閉体下端のシート体および床面に水密状に当接する床面側水密部材と、開閉体屋外側面のシート体および開口部のそれぞれの屋外側左右両端部に水密状に当接する左右両端側水密部材とを備えて構成される建築物の開口部開閉体の防水装置である。
請求項２の発明は、シート収納部は、開閉体下端に設けられる中空状の座板に内装されていることを特徴とする請求項１記載の建築物の開口部開閉体の防水装置である。
請求項３の発明は、床面側水密部材は、座板下面に開閉自在に設けられていることを特徴とする請求項１または２記載の建築物の開口部開閉体の防水装置である。
請求項４の発明は、床面側水密部材は、座板下面に対して屋内側に開閉するよう揺動自在に設けられていて、座板の屋内側下面を開放するように構成されていることを特徴とする請求項３記載の建築物の開口部開閉体の防水装置である。
請求項５の発明は、床面側水密部材と座板下面との着脱は磁石を介して行うよう構成されていることを特徴とする請求項３または４記載の建築物の開口部開閉体の防水装置である。
請求項６の発明は、開閉体屋外側面に至ったシート体は、上端部が屋外側に設けたシート保持部に係脱自在に保持されていることを特徴とする請求項１乃至５の何れか１記載の建築物の開口部開閉体の防水装置である。
請求項７の発明は、シート保持部は、開閉体の屋外側面に設けられていることを特徴とする請求項６記載の建築物の開口部開閉体の防水装置である。
請求項８の発明は、左右両端側水密部材は、操作体と、該操作体の操作に伴い屋内側斜め下方に移動してシート体および開口部のそれぞれの屋外側左右両端部に水密状に当接する水密材とを備えて構成されていることを特徴とする請求項１乃至７の何れか１記載の建築物の開口部開閉体の防水装置である。
請求項９の発明は、左右両端側水密部材は、シート体の左右両端部を開閉体の屋外側面に押圧状に当接させることを特徴とする請求項１乃至８の何れか１記載の建築物の開口部開閉体の防水装置である。
請求項１０の発明は、左右両端側水密部材が水密状に当接する開口部の屋外側左右両端部は、開閉体の上下開閉移動をガイドするガイドレールであることを特徴とする請求項１乃至９の何れか１記載の建築物の開口部開閉体の防水装置である。
請求項１１の発明は、開閉体の屋内側には閉鎖姿勢の開閉体を支持する支持部材が設けられていることを特徴とする請求項１乃至１０の何れか１記載の建築物の開口部開閉体の防水装置である。
請求項１２の発明は、支持部材は、開閉体を下方に向けて支持する下方側支持部と開閉体の屋内側方向の撓み変形を受止め支持する屋内側支持部とを備えていることを特徴とする請求項１１記載の建築物の開口部開閉体の防水装置である。
【発明の効果】
【０００６】
請求項１の発明とすることで、開口部の開閉体に防水装置を設けることになって、開閉体の屋外側に防水装置を別途設ける必要がなく、開口部の省スペース化を図ることができる。また、開閉体を防水装置の支持部材として用いることが出来るため、その分防水装置の部品点数を少なくすることができて、低コスト化に寄与する。また、防水のためのシート体は不使用時は開閉体の屋内側に収納されるため、風雨に晒されることによる経年劣化を低減出来て、メンテナンスの簡素化を図ることが出来る。
請求項２の発明とすることで、座板をシート収納部に兼用することが出来て部品点数の削減を図ることが出来る。
請求項３の発明とすることで、床面側水密部材を座板下面に設けることが出来て、部品点数の削減を図ることが出来る。
請求項４の発明とすることで、床面側水密部材は、開閉体に邪魔されることなく開閉することが出来るとともに、座板に収納されるシート体の引き出しを容易に行うことが出来て、操作性の良い防水装置とすることが出来る。
請求項５の発明とすることで、床面側水密部材と座板下面との水密を確実にすることが出来る。
請求項６の発明とすることで、シート体を簡単に屋外側に保持することが出来て、簡単な操作で防水することが出来る防水装置とすることが出来る。
請求項７の発明とすることで、シート保持部を簡単に設けることが出来る。
請求項８の発明とすることで、開口部の左右両端部と床面の左右両端部との水密を同時に行うことが出来る。
請求項９の発明とすることで、シート体の左右両端部を開閉体の屋外側面に当接させることで開口部の左右両端部を水密にすることが出来て、別途支持部材を設ける必要がない。
請求項１０の発明とすることで、ガイドレールを、開口部を水密にするための部材として用いることが出来て、部品点数の削減に寄与する。
請求項１１の発明とすることで、開閉体が閉鎖姿勢時に屋外から水圧を受けることによる開閉体の撓み変形を防止することが出来る。
請求項１２の発明とすることで、開閉体は該開閉体の下方に向けた支持と屋内側方向の撓み変形の受け止め支持の両方の支持を１つの部材から受けることになって、開閉体の浮き上がりや撓み変形に対する配慮がなされた防水装置とすることが出来る。
【図面の簡単な説明】
【０００７】
【図１】防水装置が配されたシャッター装置の正面図である。
【図２】防水装置が配されたシャッター装置の側面断面図である。
【図３】防水装置が配されたシャッター装置の背面図である。
【図４】（Ａ）、（Ｂ）は、それぞれ座板と床面側水密部材の開姿勢、閉姿勢である。
【図５】左右両端側水密部材の分解斜視図である。
【図６】（Ａ）、（Ｂ）、（Ｃ）は、それぞれ左右両端側水密部材が収納位置の平面図、背面図、側面断面図である。
【図７】（Ａ）、（Ｂ）、（Ｃ）は、それぞれ左右両端側水密部材が作用位置の平面図、背面図、側面断面図である。
【図８】（Ａ）、（Ｂ）は、それぞれ左端側水密部材が収納位置、作用位置に位置したときのシャッターカーテンおよびガイドレールとの関係を示す作用説明図である。
【図９】（Ａ）〜（Ｅ）は、防水シートを引き出して保持部材に保持する様子を示す作用説明図である。
【図１０】支持部材の側面図である。
【発明を実施するための形態】
【０００８】
以下、本発明の実施の形態について、図面に基づいて詳細に説明する。
図面において、１は建築物の開口部を開閉する開閉体としての防水装置付きのシャッター装置であって、該シャッター装置１は、複数のスラット２がインターロック結合部２ａを介して一連状に連設されたシャッターカーテン３が巻取りドラム４に巻装されており、該巻取りドラム４が正逆回転することによってシャッターカーテン３が開口部左右両端部に設けたガイドレール５にガイドされながら上下開閉作動することで開口部の開閉が行われるようになっている。
【０００９】
６はシャッターカーテン３の最下端に設けられる座板であって、該座板６は、屋外側面がシャッターカーテン３と面一状で、屋内側に向けて突出した中空直方体形状をしている。該座板６の屋内側面には、下半部から座板６の下面６ａに至って傾斜状に切欠かれた開口部６ｂが形成されており、該開口部６ｂの屋外側に形成される座板下面６ａには、下方に向けて鋸歯状に形成された第一弾性部材７が任意のスラット２の左右方向に沿って屋外側に、長板状の磁石８が第一弾性部材７に隣接するようにして該第一弾性部材（シール材）７の屋内側にそれぞれ設けられている。
【００１０】
座板６の屋内側面には、ヒンジ６ｃを介して前記開口部６ｂを揺動自在に開閉する断面Ｌ字状の床面側水密部材９が取り付けられている。該床面側水密部材９は鉄等の強磁性素材で形成されており、側面部９ａに対して略９０度に折曲されて形成される底面９ｂの下面には、開口部の床面に対して水密状に密着する第二弾性部材（シール材）１０が設けられている。そして該床面側水密部材９の閉鎖姿勢においては、底面９ｂが座板下面６ａに設けられた磁石８に磁着して鋸歯状の第一弾性部材７が押圧変形されるとともに、第二弾性部材１０が開口部の床面Ｆと対向するようになっている。
【００１１】
座板６内には、可撓性および防水性を有したシート体１１が、座板６に対して回転自在に取り付けられた巻取り軸１２に巻き取られた状態で収納されるシート収納部１３が内装されている。巻取り軸１２には、巻取り軸１２から引き出されたシート体１１が巻き戻される方向に巻取り軸１２を付勢する図示しない巻戻し弾機が設けられているとともに、該巻戻し弾機の付勢力による巻取り軸１２の回転を停止させて、引き出されたシート体１１が意図せずして巻取り軸１２に巻戻されないようにする図示しない巻戻し停止機構が設けられているが、これら巻戻し弾機および巻戻し停止機構についてはロールカーテン等で一般に良く知られた技術を用いて構成されるものであるので、これ以上の詳細な説明は省略する。
尚、シート体１１は、巻き戻し弾機によって巻き戻し方向の付勢力を受けながら座板６から引き出されて後述するシート保持部２ｂに保持されることになるため、シート保持部２ｂに保持された状態のシート体１１は、巻き戻し弾機の付勢力によって引張られた状態となってシャッターカーテン３の屋外側面に沿ってピンと張られた状態となるため、引き出しすぎて弛んだりするような問題が発生することもない。
【００１２】
前記シート体１１は、シャッターカーテン３の略左右両端部に亘る幅（ガイドレール５内までには至らない）を有している。そしてシャッターカーテン３が全閉となる少し前の半開状態で床面側水密部材９を開放し、この状態で、前記シート体先端部１１ａに設けた棒状の引き出し桿１４を引張ることでシート体１１が引き出され、この引き出されたシート体１１は、座板６の下面６ａを経由し、シャッターカーテン３の屋外側面３ａの適宜高さまで至って（覆って）防水姿勢となる長さを有している。そしてこの引き出し状態で引き出し桿１４は、シャッターカーテン３を構成する任意のスラット２の屋外側面に設けた凹溝状のシート保持部２ｂに係脱自在に保持されるようになっている。
このように引き出し桿１４がシート保持部２ｂに保持された状態で床面側水密部材９を閉鎖姿勢にして座板６に磁着させた後、シャッターカーテン３を全閉状態にすると、床面側水密部材９は、座板下面６ａ部位のシート体１１と水密状に当接するとともに、第二弾性部材１０が床面Ｆに水密状に当接するようになっている。
【００１３】
一方、１５は開口部屋外側の左右にそれぞれ設けられ、シート体１１の左右両端部およびガイドレール５の屋外側部位を水密状に当接する左右両端側水密部材であって、該水密部材１５は、開口部の屋外側左右両端部に立設される上下方向に長い直方体形状のケース体１６を備えて構成されるが、該ケース体１６内には軸受１８ａを介して上下方向に長いカム軸１８が回動自在に軸支され、ケース体１６から突出する状態でカム軸１８に連結された操作部（操作レバー）１７を回動操作することによってカム軸１８は軸芯回りに回動するように構成されている。尚、１９は操作部１７を回動操作するためのケース体１６に形成したガイド孔である。
【００１４】
一方、ケース体１６にブラケット２０を介して基端部が揺動自在に支持されたアーム２１の先端部には長孔２１ａが穿設されており、該長孔２１ａには可動バー２２に一体的に設けた作動ピン２２ａが移動自在に嵌入している。前記カム軸１８に設けたカム２３はアーム２１の側面に設けたカム受け面２１ｂに当接しており、前記操作部１７を収納位置から作用位置に操作することに伴い、カム２３は回動することになって、カム受け面２１ｂへの当接が短径部２３ａから長径部２３ｂに変化し、これによってアーム２１が屋内側に揺動し、これに伴い、可動バー２２が屋内側に向けて移動することになる。
またケース体１６に設けたベース体２５にはベースガイド２５ａが設けられるが、該ベースガイド２５ａは、可動バー２２に設けた傾斜ガイド孔２２ｂに嵌入しており、前記操作部１７を収納位置から作用位置に操作することに伴う可動バー２２の屋内側に向けての移動を、屋内側斜め下方に向けての移動となるように構成されている。尚、２４は復帰弾機であって、操作部１７を収納位置に操作した場合に、可動バー２２を元位置に復帰させるためのものである。
【００１５】
前記可動バー２２には水密材２６がホルダー２６ａを介して一体的に設けられているが、該水密材２６は、Ｌ字形をしていて操作部１７が収納位置に位置するときにはガイドレール５の屋外側面部と防水姿勢のシール材の左右両端部とに間隙を存して対向しているが、操作部１７を作用姿勢にすることに伴う前記可動バー２２の屋内側斜め下方に向けての移動と同じ移動することになって、ガイドレール５の屋外側面部に水密状に押圧するとともに、防水姿勢のシート体１１の左右両端部をシャッターカーテン３の屋外側面に水密状に押圧して水密をするようになっている。尚、水密材２６を肉厚のゴム質弾性材で形成して、シート体１１を押圧した場合に、インターロック結合部２ａの隙間に入り込んで水密性の向上を図るように設定することが出来る。
【００１６】
２７は屋内側においてシャッターカーテン３を支持する支持部材であって、該支持部材２７は、床面Ｆにボルト２８ａを介して着脱自在に支持される下方側支持部材であるところの基板２８と、該基板２８の屋外側端から座板６にかぶさるように折曲形成される折曲部２８ｂを介して立設され、シャッターカーテン３のインターロック結合部２ａの屋内側面に当接する屋内側支持部材であるところの支持体２９とを備えて構成されるが、基板２８と支持体２９とのあいだには補強材３０が介設されている。
因みに、床面Ｆには、ボルト２８ａの頭部が収納される収納孔部２８ｃと、ネジ部が螺入するアンカーナット２８ｄとが上下に設けられており、また基板２８には、ボルト２８ａの頭部が遊嵌する大径孔部２８ｅと、ボルト２８ａの頭部は貫通しないが螺子部は遊嵌する長孔部２８ｆとがシヤッターカーテン３のカーテン面に沿う方向に連通するよう設けられている。そして支持部材２７を使用しない常時は、ボルト２８ａを、頭部が収納孔部２８ｃに収納された状態にしておき、支持部材２７を使用するときには、ボルト２８ａの頭部を基板２８の板厚以上に螺子上げた状態とし、この状態で大径孔部２８ｅをボルト２８ａの頭部に貫通させた後、基板２８を水平方向に移動させてボルト２８ａの螺子部が長孔部２８ｆに位置するようにし、この状態でボルト２８ａを緊締することで基板２８の床面Ｆ側への固定が出来るようになっている。
【００１７】
前記支持体２９には開口２９ａが形成されているが、該開口２９ａの屋内側部位には、ケースブラケット３１が固着されており、該ケースブラケット３１には、ケースブラケット３１の上面から突出する状態で支持桿３２が上下方向移動自在に設けられており、この支持桿３２の上端部には、支持板３３が取り付けられているが、該支持板３３は前記開口２９ａを貫通して屋外側に突出している。そして支持桿３２の外周面にはラチェット溝３２ａが形成されている。一方、ケースブラケット３１には、操作摘み３１ａが屋内外方向移動自在に設けられているが、該操作摘み３１ａは、弾機３１ｂによって屋外側に向けて付勢されているとともに、前記支持桿３２側のラチェット溝３２ａに対応したラチェット溝３１ｃが形成され、これらラチェット溝３２ａ、３１ｃ同士は互いに噛合している。そして支持桿３２は、支持板３３を下方に押すことに伴い操作摘み３１ａが弾機３１ｂに抗して屋内側に移動することで歩進して下動のみし、操作摘み３１ａを引き操作してラチェット溝３２ａ、３１ｃの噛合を解除しない限りは上動しないように設定されている。そしてシート体１１を防水姿勢にした状態で支持部材２７を屋内側床面Ｆにセットし、その後、支持板３３を押下げ操作をして支持板３３の先端の係止部３３ａがシャッターカーテンインターロック結合部２ａに上側から係止する。
尚、支持体２９および係止部３３ａの少なくともシャッターカーテン当接部位にゴム等の保護材を設けても良く、このようにすることで、シャッターカーテン３のこれらが当接する部位の保護を図ることができる。
【００１８】
このように支持部材２７をセットすることで、支持体２９がインターロック結合部２ａの屋内側面部に当接するとともに、支持板３３の係止部３３ａがインターロック結合部２ａの上動を規制することになり、これによってシャッターカーテン３が屋外側から水圧を受けたときシャッターカーテン３の屋内側への撓み防止と持ち上がり防止とをするようになっている。
因みに、前記支持部材２７は、係止部３３ａがインターロック結合部２ａに係止してシャッターカーテン３を下方に押圧し、シャッターカーテンの持ち上がり規制をしているが、座板６の屋内側に突出する部位を下方に押圧する構成としてシャッターカーテンの持ち上がり規制をしてもよく、さらには両者を下方に押圧するようにしてもよい。
【００１９】
叙述の如く構成された本発明の実施の形態において、建築物の開口部を開閉するシャッター装置１には、開口部を上下開閉作動するシャッターカーテン３の座板６にシート収納部１３が形成され、該シート収納部１３にシート体１１が巻き取られた状態で収納される一方、座板６の屋内側面にはシート体１１と床面Ｆとに水密状に当接（密着）する床面側水密部材９が座板の開口部に対して開閉自在に設けられることになるが、このように構成される床面側水密部材９は、まず、図８（Ａ）〜（Ｃ）に示すように床面側水密部材９を座板６に対して開放姿勢にした後、シート体１１の引き出し桿１４を座板の下面６ａを経由させてシャッターカーテン３の屋外側面に設けられたシート保持部２ｂまで引き上げて該シート保持部２ｂに保持させる。その後図８（Ｄ）に示すように、床面側水密部材９を揺動して開放姿勢から閉鎖姿勢に変姿させると、床面側水密部材９は座板下面６ａの磁石８および第一弾性部材７に対してシート体１１をあいだに挟んで密着し、床面側水密部材９はシート体１１と水密状に密着する。この状態からシャッターカーテン３を全閉させると、図８（Ｅ）に示すように、床面水密部材９は下面に設けられた第二弾性部材１０が床面Ｆに水密状に当接する。
【００２０】
このようにして開口部の下端を水密にした後、開口部屋外側に設けられた左右両端側水密部材１５の操作レバー１７を、該操作レバー１７が屋外側に突出した収納位置から互いに対向する作用位置に至るまで略９０度の回動操作をすると、カム軸１８に設けられたカム２３がアーム２１のカム受け面２１ｂに対して短径部２３ａから長径部２３ｂで当接するよう回動し、該カム２３の当接によってアーム２１は可動バー２２を屋内側に押し出す方向に揺動する。このアーム２１の揺動によって可動バー２２は水密材２６を屋内側に押し出す方向に移動するが、このとき可動バー２２はベース体２５に形成されたベースガイド２５ａによって屋内側斜め下方に向けて突出するように案内されることになり、可動バー２２にホルダ２６ａを介して設けられる水密材２６も同様に斜め下方に移動することになる。これによって水密材２６は、ガイドレール５の屋外側面部に水密状に当接するとともに、シャッターカーテン３の屋外側に張られたシート体１１の左右両端部もシャッターカーテン３の屋外側面に向けて押圧状に当接して水密することになるが、水密材２６が斜め下方に移動することにより、シート体１１の左右両端部と床面部とが交わるコーナー部分に対しても押圧状に当接して、開口部の左右両端部を水密にするとともに床面と側面部とが交わるコーナー部分においても水密にする。
【００２１】
このようにして開口部の下端部および左右両端部を水密にした後、シート体１１が保持されるシャッターカーテン３の屋内側に支持部材２７を設置することになるが、該支持部材２７は、支持体２９が座板６にかぶさる状態で屋内側床面Ｆにボルト止めして設置することで支持体２９の屋外側面がインターロック結合部２ａの屋内側面部に当接するようになっている。そしてこの状態では開口２９ａから屋外側に突出する支持板３３がインターロック結合部２ａの上方に位置し、支持桿３２をケースブラケット３１の下方に向けて押下げ操作することによって、支持桿３２は外周面に形成されたラチェット溝３２ａが操作摘み３１ａに形成されたラチェット溝３１ｃに対して噛合位置を変えていきながら下降していくことになり、これに伴って前記支持板３３の係止部３３ａが屋内側のインターロック結合部２ａに係止すると支持桿３２は下動規制されて下降が停止する。このようにして支持体２９がインターロック結合部２ａの屋内側面部に当接するとともに、支持板３３の係止部３３ａがインターロック結合部２ａの上動を規制することになって、シャッターカーテン３が屋外側から水圧を受けたときシャッターカーテン３の屋内側への撓み防止と持ち上がり防止がなされる。
尚、支持桿３２は、操作摘み３１ａを屋内側に引き操作することで操作摘み３１ａのラチェット溝３１ｃが支持桿３２のラチェット溝３２ａから外れ、この状態で支持桿３２を上方向に引き上げることができる。
【００２２】
このようにして建築物の開口部を開閉するシャッター装置１において、シャッターカーテン３の最下端の座板６に防水装置を設けたことにより、シャッター装置１の屋外側床部等に別途防水装置を設ける必要がなくなって、開口部の外観を損ねることがない。また、シャッター装置の屋外側に防水装置を配設するためのスペースを確保しておく必要がなくなって、開口部の設計の自由度が増し、使い勝手の良い防水装置とすることが出来る。
また、シャッターカーテン３を防水装置の支持部材として用いることが出来るため、防水装置の部品点数を少なくすることができる。
さらにまた、シート体１１は不使用時に座板6のシート収納部１３に収納されるため風雨に晒されることがなく、経年劣化が低減できることになってメンテナンスの簡素化を図ることが出来るだけでなく、シート体を常時シャッターカーテンの屋外側面に配したもののように、シート体について、全開時、シャッターカーテンが巻取りドラムに巻き取られることに伴うインターロック結合部の拡開揺動に対応させるべく揺動代を確保したものにする必要がない。
そのうえ、座板６をシート収納部１３に兼用することが出来て部品点数の削減を図ることが出来る。
【００２３】
さらに、このものでは、防水装置の設定はシャッターカーテン３を半開状態にしてから座板６の床面側水密部材９を開いて、シート体１１の引き出し桿１４を座板下面６ａを経由するようにして屋外側に引き出し、スラット２に設けたシート保持部２ｂに保持し、しかる後、左右両端側水密部材１５の操作レバー１７を回動操作してシート体１１およびガイドレール５の屋外側左右両端部を水密にし、さらに開口部屋内側に支持部材２７を設置してシャッターカーテン３を屋内側から支持すれば良いのであって、簡単な操作で高い防水機能を有する防水装置を設定することが出来る。
【００２４】
尚、本発明は上記実施の形態に限定されないことは勿論であって、例えば、床面側水密部材９については、ヒンジ６ｃを介して開閉するように構成したものに限定されず、座板６に対して着脱することで座板下面の開閉をするようにしても良く、また床面側水密部材９を座板６に保持させる場合に、磁石でなく、フックやバックルの様な通常知られた係止部材を用いても良い。またヒンジを用いた揺動式である場合に、弾機（例えば捻り弾機）を用いて床面側水密部材９を閉鎖方向に付勢することで座板下部を閉鎖するように構成することも出来る。
また、シート体１１を保持するシート保持部２ｂは、左右両端側水密部材１５の上端部に設けても良い。
さらにシート体１１としては、可撓性を有した肉厚の素材で形成し、水密材２６でシート体１１を水密状に押圧したとき弾性変形してインターロック結合部２ａの隙間に入り込むようにして水密性の向上を図るようにしても良い。
また、引き出し桿１４自体を磁性体で形成して直接スラット２に磁着させるように構成してもよく、さらには引き出し桿１４より下部位のシート体を１個以上の磁石を用いてスラット２に磁着することで保持するように構成しても良く、このようにした場合には、スラット２にわざわざシート保持部２ｂを設ける必要がなく、製造工程の簡略化が図れるだけでなく、シート保持部２ｂに埃等が溜まるようなこともなく、外観性、メンテナンス性に優れたものとなる。
さらにまた、シャッターカーテン３を屋内側から支持する支持部材２７については、左右方向中央部に一箇所だけでなく、左右方向に間隔を存して複数箇所設けるようにしてもよく、さらに支持部材２７は、折曲部２８ｂと、補強材３０の中間部とをそれぞれ折り畳み自在に構成してコンパクトに収納できるようにしても良い。
さらに本実施の形態では、防水装置はシャッターカーテン３に設けられているが、該シャッター装置１は、電動式、手動式のどちらでも実施することができ、またシャッターカーテンとしてはスラット式でなくパネル式のものでも実施することが出来る。
【産業上の利用可能性】
【００２５】
本発明は、建築物開口部を開閉する開閉体に取り付けられる防水装置の分野に利用可能である。
【符号の説明】
【００２６】
１    シャッター装置
９    床面側水密部材
１１  シート体
１３  シート収納部
１５  左右両端側水密部材
【図１】
2015183496.tif 000003
【図２】
2015183496.tif 000004
【図３】
2015183496.tif 000005
【図４】
2015183496.tif 000006
【図５】
2015183496.tif 000007
【図６】
2015183496.tif 000008
【図７】
2015183496.tif 000009
【図８】
2015183496.tif 000010
【図９】
2015183496.tif 000011
【図１０】
2015183496.tif 000012